【手続補正書】
【提出日】平成19年5月15日(2007.5.15)
【手続補正１】
【補正対象書類名】明細書
【補正対象項目名】特許請求の範囲
【補正方法】変更
【補正の内容】
【特許請求の範囲】
【請求項１】  撮像手段によって撮像した画像を記録手段によって記録し、記録した画像を表示手段によって表示し得るようにした撮像装置であって、
多点でピントを合わせることが可能な測距手段と、少なくとも第１の測距モードと第２の測距モードとを選択可能な測距モード設定手段とを備え、
前記第１の測距モードが選択された場合は、前記測距手段における多点のうちから前記第２の測距モードが選択された場合よりも遠い被写体にピントが合うように焦点制御するとともに、前記多点のいずれにおいてもピントを合わせることが困難な場合には前記第２の測距モードが選択された場合よりも遠景に焦点制御するようにしたことを特徴とする撮像装置。
【請求項２】  請求項１に記載の撮像装置において、
前記第１の測距モードが選択された場合には、前記多点のうちでピントが合う位置が最も遠い点に焦点制御することを特徴とする撮像装置。
【請求項３】  請求項１に記載の撮像装置において、
前記第２の測距モードが選択された場合には、前記多点のうちでピントが合う位置が最も近い点に焦点制御することを特徴とする撮像装置。
【請求項４】  撮像手段によって撮像した画像を記録手段によって記録し、記録した画像を表示手段によって表示し得るようにした撮像装置であり、多点でピントを合わせることが可能な測距手段と、少なくとも第１の測距モードと第２の測距モードとを選択可能な測距モード設定手段とを備えた撮像装置の制御方法であって、
前記第１の測距モードが選択された場合は、前記測距手段における多点のうちから前記第２の測距モードが選択された場合よりも遠い被写体にピントが合うように焦点制御するとともに、前記多点のいずれにおいてもピントを合わせることが困難な場合には前記第２の測距モードが選択された場合よりも遠景に焦点制御することを特徴とする撮像装置の制御方法。
【請求項５】  撮像手段によって撮像した画像を記録手段によって記録し、記録した画像を表示手段によって表示し得るようにした撮像装置であり、多点でピントを合わせることが可能な測距手段と、少なくとも第１の測距モードと第２の測距モードとを選択可能な測距モード設定手段とを備えた撮像装置を制御するためのプログラムであり、
前記第１の測距モードが選択された場合は、前記測距手段における多点のうちから前記第２の測距モードが選択された場合よりも遠い被写体にピントが合うように焦点制御するとともに、前記多点のいずれにおいてもピントを合わせることが困難な場合には前記第２の測距モードが選択された場合よりも遠景に焦点制御する処理をコンピュータに実行させるプログラムを格納したことを特徴とするコンピュータ読取り可能な記録媒体。
【請求項６】  前記プログラムは、前記第１の測距モードが選択された場合には、前記多点のうちでピントが合う位置が最も遠い点に焦点制御する処理をコンピュータに実行させることを特徴とする請求項５に記載のコンピュータ読取り可能な記録媒体。
【請求項７】  前記プログラムは、前記第２の測距モードが選択された場合には、前記多点のうちでピントが合う位置が最も近い点に焦点制御する処理をコンピュータに実行させることを特徴とする請求項５に記載のコンピュータ読取り可能な記録媒体。
【手続補正２】
【補正対象書類名】明細書
【補正対象項目名】０００５
【補正方法】変更
【補正の内容】
【０００５】
【課題を解決するための手段】
本発明の撮像装置は、撮像手段によって撮像した画像を記録手段によって記録し、記録した画像を表示手段によって表示し得るようにした撮像装置であって、多点でピントを合わせることが可能な測距手段と、少なくとも第１の測距モードと第２の測距モードとを選択可能な測距モード設定手段とを備え、前記第１の測距モードが選択された場合は、前記測距手段における多点のうちから前記第２の測距モードが選択された場合よりも遠い被写体にピントが合うように焦点制御するとともに前記多点のいずれにおいてもピントを合わせることが困難な場合には前記第２の測距モードが選択された場合よりも遠景に焦点制御するようにしたことを特徴とする。
【手続補正３】
【補正対象書類名】明細書
【補正対象項目名】０００６
【補正方法】変更
【補正の内容】
【０００６】
また、本発明の撮像装置において、前記第１の測距モードが選択された場合には、前記多点のうちでピントが合う位置が最も遠い点に焦点制御することを特徴とする。
【手続補正４】
【補正対象書類名】明細書
【補正対象項目名】０００７
【補正方法】変更
【補正の内容】
【０００７】
また、本発明の撮像装置において、前記第２の測距モードが選択された場合には、前記多点のうちでピントが合う位置が最も近い点に焦点制御することを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
また、本発明の撮像装置の制御方法は、撮像手段によって撮像した画像を記録手段によって記録し、記録した画像を表示手段によって表示し得るようにした撮像装置であり、多点でピントを合わせることが可能な測距手段と、少なくとも第１の測距モードと第２の測距モードとを選択可能な測距モード設定手段とを備えた撮像装置の制御方法であって、前記第１の測距モードが選択された場合は、前記測距手段における多点のうちから前記第２の測距モードが選択された場合よりも遠い被写体にピントが合うように焦点制御するとともに、前記多点のいずれにおいてもピントを合わせることが困難な場合には前記第２の測距モードが選択された場合よりも遠景に焦点制御することを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
また、本発明の記録媒体は、撮像手段によって撮像した画像を記録手段によって記録し、記録した画像を表示手段によって表示し得るようにした撮像装置であり、多点でピントを合わせることが可能な測距手段と、少なくとも第１の測距モードと第２の測距モードとを選択可能な測距モード設定手段とを備えた撮像装置を制御するためのプログラムであり、前記第１の測距モードが選択された場合は、前記測距手段における多点のうちから前記第２の測距モードが選択された場合よりも遠い被写体にピントが合うように焦点制御するとともに、前記多点のいずれにおいてもピントを合わせることが困難な場合には前記第２の測距モードが選択された場合よりも遠景に焦点制御する処理をコンピュータに実行させるプログラムを格納したことを特徴とする。
また、本発明の記録媒体において、前記プログラムは、前記第１の測距モードが選択された場合には、前記多点のうちでピントが合う位置が最も遠い点に焦点制御する処理をコンピュータに実行させることを特徴とする。
また、本発明の記録媒体において、前記プログラムは、前記第２の測距モードが選択された場合には、前記多点のうちでピントが合う位置が最も近い点に焦点制御する処理をコンピュータに実行させることを特徴とする。